(57)【要約】【課題】従来より大きな機器を搭載可能とし、分電盤の省スペース化も行うことのできる端子カバーを備えた分電盤を提供する。【解決手段】分電盤１は、前方へ開口するキャビネット２内において、主幹ブレーカ３と横方向に列設した複数の分岐ブレーカ４とを導電バー５により接続し、導電バー５の主幹ブレーカ３と反対側の端部に送り端子部６を設けており、送り端子部６は、送り端子部６を覆うように端子カバー７を備え、端子カバー７は、端子カバー７の後方に導電バー５が挿入される挿入部８と、導電バー５に係止する爪部９とが設けられ、端子カバー７を、上下方向に着脱可能とする。【選択図】図３
2020205676.tif 000002
【特許請求の範囲】
【請求項１】
前方へ開口するキャビネット内において、主幹ブレーカと横方向に列設した複数の分岐ブレーカとを導電バーにより接続し、前記導電バーの前記主幹ブレーカと反対側の端部に送り端子部を設けた分電盤であって、
前記送り端子部は、前記送り端子部を覆うように端子カバーを備え、
前記端子カバーの内側には、上方へ向けて開口する挿入部と、上方へ向けて延びる後方向きの爪部とが設けられ、
前記端子カバーを、下方から着脱可能とすることを特徴とする分電盤。
【請求項２】
前方へ開口するキャビネット内において、主幹ブレーカと横方向に列設した複数の分岐ブレーカとを導電バーにより接続し、前記導電バーの前記主幹ブレーカと反対側の端部に送り端子部を設けた分電盤であって、
前記送り端子部は、前記送り端子部を覆うように端子カバーを備え、
前記端子カバーの内側には、下方へ向けて開口する挿入部と、下方へ向けて延びる後方向きの爪部とが設けられ、
前記端子カバーを、上方から着脱可能とすることを特徴とする分電盤。
【発明の詳細な説明】
【技術分野】
【０００１】
本発明は、分電盤に関し、特に分電盤の導電バーの端部に設けられる送り端子部に装着する端子カバーに関する。
【背景技術】
【０００２】
従来、分電盤は、基台上に主幹ブレーカと複数の分岐ブレーカが配設され、主幹ブレーカと複数の分岐ブレーカは、導電バーにより電気的に接続されている。導電バーの上下に沿って複数の分岐ブレーカが併設され、主幹ブレーカと反対側の端部であって、併設された複数の分岐ブレーカよりも突設されて送り端子部が設けられている。そして、当該送り端子部に作業者が誤って触れて感電したりすることを防ぐため、端子カバーを設けることが知られている。例えば、特許文献１では、分電盤のキャビネット前面側から母線への直接的な接触を防止する絶縁手段として機能する略平板状に形成された樹脂製のカバーが開示されている。特許文献１で開示された樹脂製のカバーは母線にねじ止めして固定されるが、定期点検時などに取り外す際に手間となる。この点を鑑み、特許文献２で開示されたように、導電バーに横方向から挿入し、固定部の爪が導電バーの支持部材に係止することで、着脱自在に取り付けられる端子カバーが知られている。
【先行技術文献】
【特許文献】
【０００３】
【特許文献１】特許第６１４２４２３号公報
【特許文献２】特開２０１０−２６３６８２号公報
【発明の概要】
【発明が解決しようとする課題】
【０００４】
しかし、特許文献２で開示された端子カバーは、装着脱を行う際に、端子カバーの左右幅と同等以上に横方向へ移動させる必要があるため、キャビネット内の機器を設置するためのフリースペースの一部をデッドスペース化しており、フリースペースがあっても機器搭載不可領域が存在し、機器の寸法によっては搭載できない機器があった。
【０００５】
そこで、本発明の目的は、従来より大きな機器を搭載可能とし、分電盤の省スペース化も行うことのできる端子カバーを備えた分電盤を提供することにある。
【課題を解決するための手段】
【０００６】
上記目的を達成するために、請求項１に記載の発明は、前方へ開口するキャビネット内において、主幹ブレーカと横方向に列設した複数の分岐ブレーカとを導電バーにより接続し、導電バーの主幹ブレーカと反対側の端部に送り端子部を設けた分電盤であって、送り端子部は、送り端子部を覆うように端子カバーを備え、端子カバーの内側には、上方へ向けて開口する挿入部と、上方へ向けて延びる後方向きの爪部とが設けられ、端子カバーを、下方から着脱可能とすることを特徴とする。
請求項２に記載の発明は、前方へ開口するキャビネット内において、主幹ブレーカと横方向に列設した複数の分岐ブレーカとを導電バーにより接続し、導電バーの主幹ブレーカと反対側の端部に送り端子部を設けた分電盤であって、送り端子部は、送り端子部を覆うように端子カバーを備え、端子カバーの内側には、下方へ向けて開口する挿入部と、下方へ向けて延びる後方向きの爪部とが設けられ、端子カバーを、上方から着脱可能とすることを特徴とする。
【発明の効果】
【０００７】
請求項１及び２に記載の発明によれば、端子カバーの着脱方向をキャビネットの上下方向としたことで、従来の端子カバーの着脱に必要であった送り端子部周辺のスペースが不要となるため、キャビネット内のフリースペースに従来よりも大きな機器を搭載できると共に、分電盤の省スペース化を図ることができる。加えて、端子カバーが、導電バーに取り付けられた端子カバーの保持に必要な保持力を確保しつつ、容易に着脱可能となる。
【図面の簡単な説明】
【０００８】
【図１】（Ａ）は分電盤の正面図、（Ｂ）は取り付けられた端子カバーの斜視図である。
【図２】（Ａ）は右前方から見た端子カバーの斜視図、（Ｂ）は左後方から見た端子カバーの斜視図、（Ｃ）は端子カバーの左側面図である。
【図３】（Ａ）は端子カバーの取り付け方向を示す説明図、（Ｂ）は端子カバー付近のみを示した図１のＡ−Ａ線断面図である。
【図４】端子カバーを装着後、分電盤のフリースペースに機器を搭載した状態を示す正面図である。
【図５】（Ａ）は変形例を用いた分電盤の正面図、（Ｂ）は取り付けられた変形例の斜視図である。
【図６】（Ａ）は右前方から見た変形例の斜視図、（Ｂ）は左後方から見た変形例の斜視図である。
【図７】（Ａ）は変形例の取り付け方向を示す説明図、（Ｂ）は変形例付近のみを示した図５のＢ−Ｂ線断面図である。
【図８】変形例を装着後、分電盤のフリースペースに機器を搭載した状態を示す正面図である。
【発明を実施するための形態】
【０００９】
以下、本発明の実施の形態を図面に基づいて説明する。
図１（Ａ）は分電盤の正面図、図１（Ｂ）は取り付けられた端子カバーの斜視図である。また、図２（Ａ）は右前方から見た端子カバーの斜視図、図２（Ｂ）は左後方から見た端子カバーの斜視図、図２（Ｃ）は端子カバーの左側面図である。
図１（Ａ）に示すように、前方へ向けて開口する分電盤１のキャビネット２には、主幹ブレーカ３と複数の分岐ブレーカ４とが配設され、主幹ブレーカ３と複数の分岐ブレーカ４とは導電バー５によって電気的に接続され、導電バー５の主幹ブレーカ３と反対側（右側）の端部に送り端子部６が設けられている。また，送り端子部６を覆うように端子カバー７が備えられている。さらに、キャビネット２の右側には、必要に応じて、電子機器を搭載可能なフリースペースＦが設けられている。
【００１０】
図１（Ａ），（Ｂ）、図２（Ａ），（Ｂ），（Ｃ）に示すように、端子カバー７は、送り端子部６に接続される電線（図示せず）に干渉しない形状にして、送り端子部６の右側、前方及び下方を覆うように形成される。また、端子カバー７の後側（内側）には、リブ７ａと、凸部８ａ，８ｂが設けられ、リブ７ａと凸部８ａによって、上方へ向けて開口する挿入部９ａが形成され、２つの凸部８ａ，８ｂによって、上方へ向けて開口する挿入部９ｂが形成されている。凸部８ａの後方上部に上方へ延びる後方向きの爪部１０が設けられ、爪部１０の先端は、わずかに丸みを帯びた形状で形成される。また、凸部８ａの上部左側に上方へ向けて開口するＵ字形状の、後述する支柱５ａに引っ掛かる引掛部１１が設けられている。一方、端子カバー７の前面には、前方へ突出する係止突起１２が形成されている。
係止突起１２は、端子カバー７の装着後、導電バー５と分岐ブレーカ４との接続部と、端子カバー７とを覆うように、端子カバー７の前方に装着される負荷名称表示板（図示せず）に設けられた係止孔へ係止突起１２を挿入することで、左右方向へのずれを防止する目的で設けられている。
【００１１】
次に、端子カバー７の着脱方法について説明する。
図３（Ａ）は端子カバーの取り付け方向を示す説明図、図３（Ｂ）は端子カバー付近のみを示した図１のＡ−Ａ線断面図である。
図３（Ａ）に矢印Ｃで示すように、端子カバー７の取り付けは、端子カバー７を送り端子部６の下方から上方へ向けて装着することで行われる。この時、図３（Ｂ）に示すように、３本の導電バー５，５，５のうち、最前部の導電バー５の右側端部が挿入部９ａへ挿入されてリブ７ａと凸部８ａとによって挟持されると共に、２段目の導電バー５の右側端部が挿入部９ｂへ挿入されて凸部８ａ，８ｂによって挟持される。さらに、２段目の導電バー５の上端縁に爪部１０が係止することで、端子カバー７は導電バー５上に固定される。このように、リブ７ａ、凸部８ａ，８ｂ及び爪部１０により端子カバー７の保持に必要な保持力が確保できるため、装着後の端子カバー７が安易に脱落することはない。なお、端子カバー７の下部に設けられた壁部１３，１３，１３に導電バー５，５，５の下端縁が当接すると共に、引掛部１１が、３本の導電バー５，５，５間に備えられた支柱５ａに引っ掛かることで、位置決めしている。
端子カバー７の取り外しは、取り付け時とは逆に、端子カバー７を下方へ向けて引き抜き操作することで、爪部１０が導電バー５から離脱し、端子カバー７が移動する。端子カバー７の下方への移動の規制は、爪部１０のみによってされるが、爪部１０の先端の丸みを帯びた形状となっているため、下方へ向けて力を加えることで、容易に取り外すことができる。
【００１２】
上記形態の分電盤１は、前方へ開口するキャビネット２内において、主幹ブレーカ３と横方向に列設した複数の分岐ブレーカ４とを導電バー５により接続し、導電バー５の主幹ブレーカ３と反対側の端部に送り端子部６を設けており、送り端子部６は、送り端子部６を覆うように端子カバー７を備え、端子カバー７の内側には、上方へ向けて開口する挿入部９ａ，９ｂと、上方へ向けて延びる後方向きの爪部１０とが設けられ、端子カバー７を、下方から着脱可能とする。
このようにして構成される分電盤１によれば、端子カバー７の着脱方向をキャビネット２の下方向としたことで、従来の端子カバーの着脱に必要であった送り端子部６右側のスペースが不要となるため、図４に示すように、キャビネット２内のフリースペースＦに従来よりも大きな機器Ｘを搭載できると共に、分電盤１の省スペース化を図ることができる。加えて、端子カバー７が、導電バー５に取り付けられた端子カバー７の保持に必要な保持力を確保しつつ、容易に着脱可能となる。
【００１３】
図５（Ａ）は、本発明の実施の形態の変形例を示す正面図、図５（Ｂ）は、取り付けられた変形例の斜視図である。但し、図１（Ａ），（Ｂ）と同じ構成部には同じ符号を付して重複する説明は省略する。また、図６（Ａ）は右前方から見た変形例の斜視図、図６（Ｂ）は左後方から見た変形例の斜視図である。
図５（Ａ），（Ｂ）、図６（Ａ），（Ｂ）に示すように、端子カバー７１は、送り端子部６に接続される電線（図示せず）に干渉しない形状にして、送り端子部６の右側及び前方を覆うように形成される。また、端子カバー７１の内側には、リブ７１ａ，７１ｂが設けられ、リブ７１ａ，７１ｂによって、導電バー５が挿入される挿入部９１が形成されている。また、リブ７１ｂの後方側には、下部に、下方へ延びる後方向きの爪部１４が設けられ、中央付近に、後方へ向けて突出する突起部１５が設けられ、上部に、左へ延びて下方へ向けて開口する略Ｌ字形状の引掛部１６が設けられている。端子カバー７１の前面には、上述の実施の形態と同様の目的で、前方へ突出する係止突起１２が形成されている。
【００１４】
次に、端子カバー７１の着脱方法について説明する。
図７（Ａ）は変形例の取り付け方向を示す説明図、図７（Ｂ）は変形例付近のみを示した図５のＢ−Ｂ線断面図である。
図７（Ａ）に矢印Ｄで示すように、端子カバー７１の取り付けは、端子カバー７１を送り端子部６の上方から下方へ向けて装着することで行われる。この時、図７（Ｂ）に示すように、３本の導電バー５，５，５のうち、最前部の導電バー５の右側端部が挿入部９１へ挿入されてリブ７１ａ，７１ｂによって挟持されると共に、２段目の導電バー５の下端縁に爪部１４が係止することで、端子カバー７１は導電バー５上に固定される。このように、リブ７１ａ，７１ｂ及び爪部１４により端子カバー７１の保持に必要な保持力が確保できるため、装着後の端子カバー７１が安易に脱落することはない。また、突起部１５が、２段目の導電バー５の上端縁に当接すると共に、引掛部１６が、３本の導電バー５，５，５間に備えられた支柱５ａに引っ掛かることで位置決めしている。
なお、端子カバー７１の取り外しは、取り付け時とは逆に、端子カバー７１を上方へ向けて引き抜き操作することで、爪部１４が導電バー５から離脱し、端子カバー７１が移動する。端子カバー７１の上方への移動の規制は、爪部１４のみによってされるが、導電バー５の下端縁がテーパ形状となっているため、上方へ向けて力を加えることで、容易に取り外すことができる。
【００１５】
上記形態の変形例によれば、前述の実施の形態と同様、端子カバー７１の着脱方向をキャビネット２の上方向としたことで、従来の端子カバーの着脱に必要であった送り端子部６右側のスペースが不要となるため、図８に示すように、キャビネット２内のフリースペースＦに従来よりも大きな機器Ｘを搭載できると共に、分電盤１の省スペース化を図ることができる。加えて、端子カバー７１が導電バー５に取り付けられた端子カバー７１の保持に必要な保持力を確保しつつ、容易に着脱可能となる。
【００１６】
以上は、本発明を図示例に基づいて説明したものであり、その技術範囲はこれに限定されるものではない。例えば、端子カバーを形成する素材は、絶縁性のある素材であれば良い。また、端子カバーは、一体に形成されても、複数の構成部品からなるものであっても良い。また、端子カバーの形状は、送り端子部を覆うものであれば、その形状は任意に設定可能である。さらに、端子カバーに設けられるリブ、爪部及び凸部は、端子カバーの保持に必要な保持力と着脱容易性とを両立するものであれば、その形状、数及び組み合わせは任意に設定可能である。
【符号の説明】
【００１７】
１・・分電盤、２・・キャビネット、３・・主幹ブレーカ、４・・分岐ブレーカ、５・・導電バー、６・・送り端子部、７、７１・・端子カバー、９ａ，９ｂ，９１・・挿入部、１０，１４・・爪部。
【図１】
2020205676.tif 000003
【図２】
2020205676.tif 000004
【図３】
2020205676.tif 000005
【図４】
2020205676.tif 000006
【図５】
2020205676.tif 000007
【図６】
2020205676.tif 000008
【図７】
2020205676.tif 000009
【図８】
2020205676.tif 000010